(57)【要約】端末音声補助編集の方法及び装置を提供する。該方法は、前記端末がユーザ指令とラベルの対応関係を設定するとともに、前記対応関係を設定ファイルに記憶し、前記ユーザ指令が文字指令の形式で記憶されること、及び前記端末がユーザの音声指令を受信した後、前記音声指令を文字指令に変換し、且つ前記設定ファイルにおいて前記文字指令があるかどうかをクエリし、前記設定ファイルにおいて前記文字指令がクエリされた場合、前記文字指令の対応のラベルを読み取り、且つ前記ラベルが指示する編集操作を実行することを含む。本発明の実施例が提供する方法及び装置により、ユーザが手動で編集文字を入力する複雑なステップを減少させることができる。これによりユーザの操作性を大幅に改善させる。
2015525933.tif 000002
【特許請求の範囲】
【請求項１】
端末音声補助編集方法であって、
端末が、ユーザ指令とラベルの対応関係を設定し、前記対応関係を設定ファイルに記憶し、前記ユーザ指令が文字指令の形式で記憶されるステップと、
前記端末が、ユーザの音声指令を受信した後、前記音声指令を文字指令に変換し、前記設定ファイルにおいて前記文字指令があるかどうかをクエリし、前記設定ファイルにおいて前記文字指令がクエリされた場合、前記文字指令の対応のラベルを読み取り、前記ラベルに指示される編集操作を実行するステップと、
を含むことを特徴とする、端末音声補助編集方法。
【請求項２】
前記ラベルは１種又は多種の編集操作を指示し、
前記端末がユーザ指令とラベルの対応関係を設定するステップは、
タッチスクリーンにより指令が前記端末に入力され、その後前記指令にラベルを設定し、前記ラベルにより指示される編集操作を選択すること、又は、
音声により指令が前記端末に入力され、その後前記タッチスクリーンにより前記指令にラベルが設定され、且つ前記ラベルにより指示される編集操作を選択すること、
を含む請求項１に記載の端末音声補助編集方法。
【請求項３】
前記端末がユーザ指令とラベルの対応関係を設定するステップは、前記端末が指令とラベルの対応のフォーマットを設定することを含み、
前記フォーマットは、指令、ラベル、及びラベルに指示される編集操作を含む、
ことを特徴とする、請求項２に記載の端末音声補助編集方法。
【請求項４】
前記端末音声補助編集方法は、
前記端末が前記ユーザの音声指令を受信した後、前記設定ファイルにおいて前記文字指令がクエリされない場合、編集操作を実行せず、前記ユーザの次の指令を待つステップ、
を更に含むことを特徴とする、請求項１に記載の端末音声補助編集方法。
【請求項５】
設定モジュール、音声アダプタモジュール及び分析編集モジュールを含む端末音声補助編集装置であって、
前記設定モジュールは、ユーザ指令とラベルの対応関係を設定するとともに、前記対応関係を設定ファイルに記憶し、前記ユーザ指令が文字指令の形式で記憶されるように設定され、
前記音声アダプタモジュールは、ユーザの音声指令を受信し、且つ前記音声指令を文字指令に変換し、前記文字指令を前記分析編集モジュールに送信するように設定され、
前記分析編集モジュールは、前記音声アダプタモジュールが送信する前記文字指令を受信した後、前記設定ファイルにおいて前記文字指令があるかどうかをクエリし、前記設定ファイルにおいて前記文字指令がクエリされた場合、前記文字指令の対応のラベルを読み取り、且つ前記ラベルに指示される編集操作を実行するように設定される、
ことを特徴とする端末音声補助編集装置。
【請求項６】
前記ラベルは１種又は多種の編集操作を指示し、
前記設定モジュールは、
タッチスクリーンにより指令が入力され、その後前記指令にラベルを設定し、前記ラベルに指示される編集操作を選択することで、又は、
音声により指令が入力され、その後前記タッチスクリーンにより前記指令にラベルが設定され、且つ前記ラベルに指示される編集操作を選択することで、
ユーザ指令とラベルの対応関係を設定する、
ことを特徴とする、請求項５に記載の端末音声補助編集装置。
【請求項７】
前記設定モジュールは、指令とラベルの対応のフォーマットを設定し、
前記フォーマットは、指令、ラベル、及びラベルに指示される編集操作を含む、
ことを特徴とする、請求項６に記載の端末音声補助編集装置。
【請求項８】
前記分析編集モジュールは、前記音声アダプタモジュールにより送信される前記文字指令を受信した後、前記設定ファイルにおいて前記文字指令がクエリされない場合、編集操作を実行せず、前記音声アダプタモジュールにより送信される前記ユーザの次の指令を待つように設定される、
ことを特徴とする、請求項５に記載の端末音声補助編集装置。
【請求項９】
音声起動モジュールを更に含み、
前記音声起動モジュールは、音声補助編集機能を起動するために前記ユーザが操作するボタンを提供し、又は、入力方法パネルのポップアップに従って音声補助編集機能を自動的に起動する、
ことを特徴とする、請求項５に記載の端末音声補助編集装置。
【発明の詳細な説明】
【技術分野】
【０００１】
本発明は、通信分野に関し、特に端末音声補助編集方法及び装置に関する。
【背景技術】
【０００２】
移動通信技術と携帯電話製造技術の発展に従って、フルタッチスクリーン型携帯電話は、その使い易さと美しい外観がより多くのユーザから好評価を受けて、携帯電話の発展におけるトレンドとなっている。
【０００３】
フルタッチスクリーン型携帯電話には、伝統的な意味での物理的なキーボードが備えられていない。したがって、全ての入力はいずれもスクリーンでのソフトキーボード又はクリックタッチスクリーンにより実現される。しかし、スクリーンのサイズ、感度などの制限により、ユーザが文字を編集する場合に多種の不便がある。例えば、中国語の入力時、一部の符号、特に一部の通常使用しない符号を入力しようとする場合、キーボードパネルを切り替えて、符号が所在するパネルを見つけて入力しなければならない。入力し終わった後、更にキーボードパネルを切り替えて、前の中国語パネルに戻さなければならない。この過程はユーザに対して大量の時間を消耗させる。また、例えば、大量の文字を編集した後、その中の１つの単語を修正しようとする場合、タッチスクリーンをタッチして、いくつかの操作を経て、カーソルを正確的な位置に調整しなければ修正することができない。このように、手動で文字を入力・編集することは大幅にユーザの操作性を低下させる。
【発明の概要】
【発明が解決しようとする課題】
【０００４】
本発明の実施例は、ユーザが手動で文字を入力・編集する複雑なステップを減少させることができる。これにより、ユーザの操作性を大幅に改善する端末音声補助編集の方法及び装置を提供する。
【課題を解決するための手段】
【０００５】
本発明の実施例は端末音声補助編集の方法を提供し、前記端末はユーザ指令とラベルの対応関係を設定し、且つ前記対応関係を設定ファイルに記憶し、前記ユーザ指令が文字指令の形式で記憶されること、及び前記端末は、ユーザの音声指令を受信した後、前記音声指令を文字指令に変換し、且つ前記設定ファイルにおいて前記文字指令があるかどうかをクエリし、前記設定ファイルにおいて前記文字指令がクエリされた場合、前記文字指令の対応のラベルを読み取り、且つ前記ラベルが指示する編集操作を実行することを含む。
【０００６】
選択的に、前記ラベルは１種又は多種の編集操作を指示し、前記端末はユーザ指令とラベルの対応関係を設定するステップは、前記端末がタッチスクリーンにより指令を入力し、その後前記指令にラベルを設定し、且つ前記ラベルが指示する編集操作を選択し、又は音声により指令を入力し、その後前記タッチスクリーンにより前記指令にラベルを設定し、且つ前記ラベルが指示する編集操作を選択すること、を含む。
【０００７】
選択的に、前記端末はユーザ指令とラベルの対応関係を設定するステップは、前記端末が指令とラベルの対応のフォーマットを設定し、前記フォーマットが指令＋ラベル＋ラベルが指示する編集操作を含むこと、を含む。
【０００８】
選択的に、前記方法は、前記端末が前記ユーザの音声指令を受信した後、前記設定ファイルにおいて前記文字指令がクエリされない場合、編集操作を実行しなく、前記ユーザの次の指令を待つことを更に含む。
【０００９】
本発明の実施例は、端末音声補助編集の装置を更に提供し、設定モジュール、音声アダプタモジュール及び分析編集モジュールを含み、前記設定モジュールは、ユーザ指令とラベルの対応関係を設定するとともに、前記対応関係を設定ファイルに記憶し、前記ユーザ指令が文字指令の形式で記憶されるように設置され、前記音声アダプタモジュールは、ユーザの音声指令を受信し、且つ前記音声指令を文字指令に変換し、前記文字指令を前記分析編集モジュールに送信するように設置され、前記分析編集モジュールは、前記音声アダプタモジュールが送信する前記文字指令を受信した後、前記設定ファイルにおいて前記文字指令があるかどうかをクエリし、前記設定ファイルにおいて前記文字指令がクエリされた場合、前記文字指令の対応のラベルを読み取り、且つ前記ラベルが指示する編集操作を実行するように設置される。
【００１０】
選択的に、前記ラベルは１種又は多種の編集操作を指示し、前記設定モジュールは、タッチスクリーンにより指令を入力し、その後前記指令にラベルを設定し、且つ前記ラベルが指示する編集操作を選択し、又は音声により指令を入力し、その後前記タッチスクリーンにより前記指令にラベルを設定し、且つ前記ラベルが指示する編集操作を選択するように、ユーザ指令とラベルの対応関係を設定するように設置される。
【００１１】
選択的に、前記設定モジュールは、指令とラベルの対応のフォーマットを設定し、前記フォーマットは、指令＋ラベル＋ラベルが指示する編集操作を含むように設置される。
【００１２】
選択的に、前記分析編集モジュールは、更に、前記音声アダプタモジュールが送信する前記文字指令を受信した後、前記設定ファイルにおいて前記文字指令がクエリされない場合、編集操作を実行しなく、前記音声アダプタモジュールが送信した前記ユーザの次の指令を待つように設置される。
【００１３】
選択的に、前記装置は音声起動モジュールを更に含み、前記音声起動モジュールは、音声補助編集の起動形態を設置するように設置され、前記起動形態は、前記ユーザが音声補助編集機能を起動するためのボタンを設置し、又は入力方法パネルのポップアップに従って音声補助編集機能を自動に起動するように設置されることを含む。
【発明の効果】
【００１４】
本発明の実施例が提供する端末音声補助編集方法及び装置により、ユーザが手動で編集文字を入力する複雑なステップを減少させることができる。これにより、ユーザの操作性を大幅に改善する。
【図面の簡単な説明】
【００１５】
【図１】実施例における端末音声補助編集装置の構造図である。
【図２】実施例における端末音声補助編集方法のフローチャートである。
【発明を実施するための形態】
【００１６】
以下、図面を参照しながら、本発明の実施例を詳しく説明する。なお、衝突しない場合、本出願における実施例及び実施例における特徴は互いに任意に組み合わせることができる。
【００１７】
実施例
図１に示すように、本実施例は、設定モジュール１１、音声アダプタモジュール１２、及び分析編集モジュール１３を含む端末音声補助編集装置を提供する。
【００１８】
前記設定モジュール１１は、ユーザ指令とラベルの対応関係を設定するとともに、前記対応関係を設定ファイルに記憶し、前記ユーザ指令は文字指令の形式で記憶されるように設置される。システムは、シリーズの標準的なラベルを予め設置し、各ラベルは１種又は多種の編集操作を指示する。前記設定モジュールは、タッチスクリーンにより指令が入力され、その後該指令に対応するラベルを設定し、且つ該ラベルが指示する編集操作を選択する。又は、前記設定モジュールは、音声により指令を入力し、その後タッチスクリーンにより該指令に対応のラベルを設定し、且つ該ラベルが指示する編集操作を選択する。
【００１９】
前記設定モジュール１１は、更に、指令とラベルの対応のフォーマットを設定する。該フォーマットは、指令＋ラベル＋ラベルが指示する編集操作を含む。
【００２０】
音声アダプタモジュール１２は、ユーザの音声指令を受信し、且つ前記音声指令を文字指令に変換し、且つ該文字指令を分析編集モジュール１３に送信するように設置される。音声アダプタモジュール１２は、同時に異なる音声認識エンジンをアダプタし、随時に異なる音声認識エンジンを変更することができる。
【００２１】
分析編集モジュール１３は、前記音声アダプタモジュール１２が送信する前記文字指令を受信した後、前記設定ファイルにおいて前記文字指令があるかどうかをクエリする。前記設定ファイルにおいて前記文字指令がクエリされた場合、分析編集モジュール１３は、前記文字指令の対応のラベルを読み取り、且つ前記ラベルが指示する編集操作を実行する。
【００２２】
前記分析編集モジュール１３は、更に、前記音声アダプタモジュール１２が送信する前記文字指令を受信した後、前記設定ファイルにおいて前記文字指令がクエリされない場合、編集操作を実行せず、前記音声アダプタモジュール１２が送信したユーザの次の指令を待つ。
【００２３】
前記装置は音声起動モジュール１４を更に含み、該音声起動モジュール１４は、音声補助編集の起動形態を提供するように設置される。前記起動形態は、音声補助編集機能を起動するためのボタンが提供され、これをユーザが操作することにより音声補助編集機能を起動させてもよく、又は入力方法パネルのポップアップに従って自動的に音声補助編集機能を起動させてもよい。このように、ユーザは設定ファイルにおける指令とラベルの関係の編集及び音声編集を行う際、便利に音声編集機能を開始する。
【００２４】
図２に示すように、本実施例は、端末音声補助編集方法を提供し、以下のステップを含む。
【００２５】
ステップＳ１０１において、端末はユーザ指令とラベルの対応関係を設定するとともに、前記対応関係を設定ファイルに記憶し、前記ユーザ指令が文字指令の形式で記憶される。
【００２６】
ステップＳ１０２において、前記端末はユーザの音声指令を受信した後、前記音声指令を文字指令に変換する。
【００２７】
該端末は各種の類型の音声認識エンジンをアダプタし、音声を文字に変換することができる。
【００２８】
ステップＳ１０３において、前記設定ファイルにおいて前記文字指令があるかどうかをクエリし、前記設定ファイルにおいて前記文字指令がクエリされた場合、前記文字指令の対応のラベルを読み取り、前記ラベルが指示する編集操作を実行する。
【００２９】
ステップＳ１０１において、システムは、ユーザが設定するための、シリーズの標準的なラベルを予め設置し、各ラベルは１種又は多種の編集操作を表し、各ラベルを端末プラットフォームが提供するＡＰＩ（Application Programming Interface、アプリケーションプログラミングインターフェース）と対応させて、プラットフォームの操作を実現する。
【００３０】
例えば、ラベルＵＰはカーソルが一つ又はいくつか上の行へ移動することを表し、ラベルＬＥＦＴはカーソルが一つ又はいくつか左の位置へ移動することを表し、ラベルＤＥＬは削除を表し、ラベルＩＮＰＵＴは入力を表すなどがある。
【００３１】
前記端末がユーザ指令とラベルの対応関係を設定するステップは、端末がタッチスクリーンにより指令を入力し、その後該指令に対応のラベルを設定し、且つ該ラベルが指示する編集操作を選択する。又は音声により指令を入力し、その後タッチスクリーンにより該指令に対応のラベルを設定し、該ラベルが指示する編集操作を選択してもよい。
【００３２】
また、選択可能な形態として、本実施例は更に指令とラベルの対応のフォーマットを提供し、該フォーマットは、指令＋ラベル＋ラベルが指示する編集操作を含む。
【００３３】
例えば、設定する際、ユーザは指令「コンマ」を発声すると、ディスプレイインターフェースはシリーズのラベルをポップアップし、該指令に入力ラベルＩＮＰＵＴを設定し、「コンマ」指令とラベルの対応のフォーマット：［コンマ］｛ＩＮＰＵＴ（，）｝を生成し、ユーザが発声した音声指令「コンマ」を受信する際、システムが自動に符号「，」を入力することを表す。
【００３４】
また、例えば、設定する際、ユーザが指令「左」を話すと、ディスプレイインターフェースはシリーズのラベルをポップアップし、該指令に入力ラベルＬＥＦＴを設定し、且つ該ラベルが指示する編集操作を選択し、例えば左へ３つ位置を移動すると、指令「左」とラベルの対応のフォーマット：［左］｛ＬＥＦＴ（３）｝を生成し、ユーザが話した音声指令「左」を受信する際、システムはカーソルを左へ３つ位置を移動することを表す。
【００３５】
ユーザは上記規則により任意に複数の指令を設定し、設定ファイルに記憶することができる。なお、指令は更にユーザが自己で任意に定義された漢字、単語及び数字などであってよく、ユーザに大きな自由度を寄与する。
【００３６】
指令とラベルの対応のフォーマットは更に［等］｛ＬＥＦＴ（２）｝と設定されてよく、ユーザが「等」という指令を話す場合、カーソルが左へ２つ位置を移動することを表す。
【００３７】
なお、ステップＳ１０３において、ユーザの音声指令を受信した後、前記設定ファイルにおいて前記文字指令がクエリされない場合、編集操作を実行せず、ユーザの次の指令を待つ。
【００３８】
上記実施例から分かるように、関連の技術に対して、上記実施例に提供する端末音声補助編集方法及び装置は、ユーザが手動で編集文字を入力する複雑なステップを減少させることにより、ユーザの操作性を大幅に改善させる。
【００３９】
当業者は、上記方法における全部又は一部のステップは、プログラムが関連のハードウェアを指令することにより完成することができ、前記プログラムはコンピュータ可読記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的には、上記実施例における各モジュール／ユニットはハードウェアの形式で達成してよく、ソフトウェア機能モジュールの形式で達成してもよい。本発明の実施例は、いずれの特定形式のハードウェアとソフトウェアの組み合わせに限定されたものではない。
【産業上の利用可能性】
【００４０】
本発明の実施例が提供する端末音声補助編集方法及び装置により、ユーザが手動で編集文字を入力する複雑なステップを減少させることができる。これにより、ユーザの操作性を大幅に改善させる。
【図１】
2015525933.tif 000003
【図２】
2015525933.tif 000004
【国際調査報告】
2015525933.tif 000005
2015525933.tif 000006
2015525933.tif 000007
2015525933.tif 000008